(57)【要約】【課題】ブース室内の空気を、広い面で吸引して排気することにより、ブース内を速やかに換気しうるようにする。【解決手段】側面板７を、互いに離間する内パネル７ｂと外パネル７ａとの内外二重構造とし、それらの内部を上下方向を向く通風路１４とするとともに、この通風路１４を、下部側が給気路１６に、上部側が排気路１７となるように、所定の高さで上下に仕切り、内パネル７ｂの下端部に、空気をブース室内に供給する吹出口２１を設ける一方、仕切りよりも上方における内パネル７ｂに、排気路１７と連通する多数の吸込孔２３を設け、排気路１７の上部を排気ユニット３０に接続することにより、給気路１６に導入された空気を、吹出口を介してブース室内に流入させ、かつブース室内の空気を、吸込孔２３を介して排気路１７に吸引し、外部に排出する。【選択図】  図２
2006349246.tif 000002
【特許請求の範囲】
【請求項１】
前後左右の４面を閉塞する側面板のうちの少なくとも１つを、互いに離間する内パネルと外パネルとの内外二重構造とし、それらの内部を上下方向を向く通風路とするとともに、この通風路を、下部側が給気路に、上部側が排気路となるように、所定の高さで上下に仕切り、前記内パネルの下部に、前記給気路に導入された空気をブース室内に供給する吹出口を設ける一方、前記仕切りよりも上方における内パネルに、排気路と連通する多数の吸込孔を設け、排気路の上部を排気ユニットに接続することにより、前記給気路に導入された空気を、前記吹出口を介してブース室内に流入させ、かつブース室内の空気を、前記吸込孔を介して排気路に吸引し、外部に排出するようにしたことを特徴とする換気機能を備えるブース。
【請求項２】
排気路の側方における内パネルと外パネルとの間を、排気路と隔離された上下方向を向く給気ダクトとし、この給気ダクトの下部を給気路と連通させてなる請求項１記載の換気機能を備えるブース。
【請求項３】
給気路に、給気ファンを設けてなる請求項１または２記載の換気機能を備えるブース。
【請求項４】
給気路を、上部側が空気導入室に、下部側が、吹出口と連通する整風室になるように、仕切りにより上下に仕切るとともに、前記空気導入室に給気ファンを設け、この給気ファンにより送風される空気を、前記仕切りに穿設した連通孔を介して整風室に供給するようにした請求項１〜３のいずれかに記載の換気機能を備えるブース。
【請求項５】
内パネルに設けた吸込孔の大きさや個数を、下方のものを上方のものより大とすることにより、吸込孔の開口率を、下方のものほど大とした請求項１〜４のいずれかに記載の換気機能を備えるブース。
【請求項６】
内パネルにおける排気路と面する部分を開口し、この開口に、多数の吸込孔が穿設された内パネルの一部をなす複数の排気パネルを、着脱可能に取付けてなる請求項１〜５のいずれかに記載の換気機能を備えるブース。
【請求項７】
内パネルの内側面における給気路と排気路との境界部に、室内側を向く棚板を設けた請求項１〜６のいずれかに記載の換気機能を備えるブース。
【請求項８】
ブース室内における内パネルよりも内方の天井面に、内パネルと平行をなす気流偏向板を垂設してなる請求項１〜７のいずれかに記載の換気機能を備えるブース。
【請求項９】
気流偏向板と天井面との間に隙間を設けた請求項８記載の換気機能を備えるブース。
【発明の詳細な説明】
【技術分野】
【０００１】
本発明は、例えば喫煙者の休憩室として、工場やオフィス、大会議室等の喫煙場所に設置される喫煙ブース等の換気機能を備えるブースに関する。
【背景技術】
【０００２】
この種の換気機能を備えるブースとしては、例えば特許文献１に記載されているように、タバコの煙や臭いを室内から除去しうるようにした分煙室がある。
【特許文献１】特開２００４−６９０９０号公報
【発明の開示】
【発明が解決しようとする課題】
【０００３】
上記特許文献１に記載されているブース、すなわち分煙室においては、その室内の空気を吸い込んで室外に排出する吸込口が、天井面に１個開口しているのみであるため、室外空気の吹出口及び取り入れ口より室内に流入した空気は、１個の吸込口に向かって最短かつ直線的に流れるようになる。
【０００４】
そのため、気流の通過領域内に滞留している煙や臭いは、その気流に乗って速やかに排出されるが、吸込口や気流の通過領域から離れた室内の隅部に漂う煙や臭いの排出が効果的でなく、室内の換気に時間がかかることがある。
【０００５】
本発明は、上記問題に鑑みてなされたもので、室内の空気を、広い面で吸引して排気することにより、室内を速やかに換気しうるようにした、換気機能を備えるブースを提供することを目的としている。
【課題を解決するための手段】
【０００６】
本発明によると、上記課題は、次のようにして解決される。
(１)後左右の４面を閉塞する側面板のうちの少なくとも１つを、互いに離間する内パネルと外パネルとの内外二重構造とし、それらの内部を上下方向を向く通風路とするとともに、この通風路を、下部側が給気路に、上部側が排気路となるように、所定の高さで上下に仕切り、前記内パネルの下部に、前記給気路に導入された空気をブース室内に供給する吹出口を設ける一方、前記仕切りよりも上方における内パネルに、排気路と連通する多数の吸込孔を設け、排気路の上部を排気ユニットに接続することにより、前記給気路に導入された空気を、前記吹出口を介してブース室内に流入させ、かつブース室内の空気を、前記吸込孔を介して排気路に吸引し、外部に排出するようにする。
【０００７】
(２)上記(１)項において、排気路の側方における内パネルと外パネルとの間を、排気路と隔離された上下方向を向く給気ダクトとし、この給気ダクトの下部を給気路と連通させる。
【０００８】
(３)上記(１)または(２)項において、給気路に給気ファンを設ける。
【０００９】
(４) 上記(１)〜(３)項のいずれかにおいて、 給気路を、上部側が空気導入室に、下部側が、吹出口と連通する整風室になるように、仕切りにより上下に仕切るとともに、前記空気導入室に給気ファンを設け、この給気ファンにより送風される空気を、前記仕切りに穿設した連通孔を介して整風室に供給するようにする。
【００１０】
(５)上記(１)〜(４)項のいずれかにおいて、内パネルに設けた吸込孔の大きさや個数を、下方のものを上方のものより大とすることにより、吸込孔の開口率を、下方のものほど大とする。
【００１１】
(６)上記(１)〜(５)項のいずれかにおいて、内パネルにおける排気路と面する部分を開口し、この開口に、多数の吸込孔が穿設された内パネルの一部をなす複数の排気パネルを、着脱可能に取付ける。
【００１２】
(７)上記(１)〜(６)項のいずれかにおいて、内パネルの内側面における給気路と排気路との境界部に、室内側を向く棚板を設ける。
【００１３】
(８)上記(１)〜(７)項のいずれかにおいて、ブース室内における内パネルよりも内方の天井面に、内パネルと平行をなす気流偏向板を垂設する。
【００１４】
(９)上記(８)項において、気流偏向板と天井面との間に隙間を設ける。
【発明の効果】
【００１５】
請求項１記載の発明によれば、排気ユニットの排気ファンを作動させると、ブース室内の空気は、側面板の内パネルに設けた多数の吸込孔により、広い面で吸引されて排出されると同時に、新鮮な空気が、内パネルの吹出口よりブース室内に供給されるので、ブース室内は速やかに換気される。
【００１６】
請求項２記載の発明によれば、給気ダクトを、内パネルと外パネルとの間、すなわち、側面板の内部に設けられているので、給気路に、別体をなす給気ダクトを接続したりする必要はなく、部品点数や組立工数が削減される。
【００１７】
請求項３記載の発明によれば、新鮮な空気が、給気ファンの作動により、ブース室内に強制的にかつ大量に供給されるため、大型のブースであっても、ブース室内を速やかに換気することができる。
また、空気は、ブース室内の隅々まで行き渡るので、室内全体が効果的に換気される。
【００１８】
請求項４記載の発明によれば、空気導入室に設けた給気ファンにより送風された空気は、整風室内において一定圧に蓄圧されてから吹出口よりブース室内に供給されるので、側方に長い吹出口であったり、吹出口を側方に複数設けたりしても、吹出口から吐出される空気の圧力は一定となり、ブース室内全体が均一に換気されるようになる。
【００１９】
請求項５記載の発明によれば、内パネルの下部の排気効率が大となるので、ブース室内の中央部付近の空気が速やかに排出される。従って、喫煙ブース等に適用した際に、喫煙者により吐き出されたタバコの煙が速やかに外部に排出されるようになる。
【００２０】
請求項６記載の発明によれば、吸込孔が汚れたときなどに、排気パネルを取外して簡単に清掃したり、排気パネルを交換したりすることができる。
また、ブースの用途に応じて、吸込孔の大きさや個数の異なる排気パネルを選択して取付けることもできる。
【００２１】
請求項７記載の発明によれば、棚板は、本来の物品載置用だけでなく、吹出口より流出する外気をブース室内の中央部に向かわせる偏向板としての機能も有することとなるので、吹出口より流出した空気が、ブース室内を換気する前に吸込孔より外部に排出されてしまう恐れはない。
【００２２】
請求項８記載の発明によれば、ブースの側面板の内面に沿って天井面まで達した新鮮な空気が、気流偏向板により下向きに向きを偏向させられ、ブース室内の中央部を換気したのち、吸込孔より吸引されるので、ブース室内の中央部も効果的に換気されるようになる。
【００２３】
請求項９記載の発明によれば、天井面まで達した空気の一部が、気流偏向板と天井面との間の隙間を通って、内パネルの方向にも流れるため、内パネルの上端隅部も効果的に換気されるようになる。
【発明を実施するための最良の形態】
【００２４】
以下、本発明の実施形態を、図面に基づいて説明する。
図１は、本発明を適用した喫煙ブースにおける第１の実施形態の斜視図で、喫煙ブース(１)は、床板(２)と、天井板(３)と、前面板（以下、図１の右面側を前として説明する）(４)と、後面板(５)と、左側面板(６)と、右側面板(７)とにより囲まれた箱部屋状をなし、ブース内には、複数の喫煙者が入室しうるようになっている。
【００２５】
前面板(４)の左半部に形成された出入口(８)には、取っ手(９)を回動操作することにより、前方に開かれる開閉扉(10)が取付けられ、また中央部には、透明なガラス(11)が嵌め込まれている。
【００２６】
左側面板(６)は、複数(４枚)の透明なガラスパネル(12)を前後方向に連結して形成されている。
【００２７】
天井板(３)の中央部下面には、右側面板(７)と平行をなす前後方向を向く気流偏向板(13)が、天井板(３)の下面との間に所要の隙間(Ｓ)が形成されるようにして、複数のブラケット(13a)により垂下状に取付けられている（図２参照）。なお、ブラケット(13a)を用いないで、気流偏向板(13)の前後両端を、前面板(４)と後面板(５)とに固定してもよい。
【００２８】
右側面板(７)は、図２及び図３に示すように、外パネル(7a)と内パネル(7b)との内外二重構造をなし、それらの対向面間の内部空間は、密閉された通風路(14)となっている。
【００２９】
通風路(14)内は、その下方寄りに設けた仕切板(15)により、下部の給気路(16)と上部の排気路(17)とに仕切られている。
【００３０】
また、図３に示すように、通風路(14)の後部側の一部は、排気路(16)と区画された、上下方向を向く給気ダクト(18)となっており、この給気ダクト(18)の下端部と給気路(16)とは、連通孔(19)を介して互いに連通し、図示しないエアフィルタを通過した新鮮な空気が、天井板(３)に開口した給気孔（図示略）より、給気ダクト(18)及び給気路(16)に流入するようになっている。
【００３１】
給気路(16)内の下部において床板(２)の上面には、例えばクロスフローファン（シロッコファン）等よりなる前後２基の給気ファン(20)(20)が、送風口(20a)を内パネル(7b)に向けて設置されている。
【００３２】
内パネル(7b)における給気ファン(20)の送風口(20a)と対向する面には、前後方向を向くスリット状の空気の吹出口(21)(21)が穿設されている。各吹出口(21)には、下向きにセットされた可動ルーバが設けられており、これにより、各給気ファン(20)より吐出された空気は、各吹出口(21)を介して、ブース(１)内にやや下向きに吹出されるようになっている（図２参照）。
【００３３】
仕切り板(15)よりも上方、すなわち排気路(17)と面する部分の内パネル(7b)には、上下及び前後方向に並ぶ４個の広面積の排風口(22)が開口され、各排風口(22)には、図４に示すように、内パネル(7b)の一部をなす、多数の吸込孔(23)が穿設された方形の排気パネル(24)が、ねじ(25)により着脱可能に取付けられている。
【００３４】
下部の２枚の排気パネル(24)の吸込孔(24)の直径は、上部の２枚の排気パネル(24)の吸込孔(23)の直径よりも大とされている。
例えば本実施形態では、上下の各排気パネル(24)における吸込孔(23)の開口率が、それぞれ約１０％と２０％になるように、それらの吸込孔(23)の直径を定めてある。
【００３５】
また、下部の排気パネル(24)の上端の床板(２)からの高さは、１８０cm前後とされ、平均的な身長の喫煙者の頭部付近が、下部の排気パネル(24)の上部に位置するようにしてある。これは、喫煙者から吐き出されたタバコの煙が、開口率を大とした下部の排気パネル(24)の吸込孔(23)より速やかに吸引されるようにするためである。
【００３６】
天井板(３)の排気路(17)と面する部分には、前後２個の排気孔(26)(26)が間隔をおいて穿設され、各排気孔(26)は、連通管(27)と、その中央部に連結された排気管(28)とを介して、排気ファン(29)を有する排気ユニット(30)に接続されている。
【００３７】
内パネル(7b)における給気路(16)と排気路(17)との境界部、すなわち下部の排気パネル(24)のやや下方の内側面には、灰皿等を載置するための棚板(31)が、複数のブラケット(32)により取付けられている。棚板(31)は、灰皿等の載置用だけでなく、吹出口(21)より吐出する空気を、ブース(１)の内方に向かわせる偏向板としての機能も有している。
【００３８】
上記実施形態の喫煙ブース(１)において、喫煙者のタバコの煙や臭いを排出し、室内を換気するには、給気ファン(20)と排気ユニット(30)の排気ファン(29)を共に作動させて行う。
【００３９】
給気ファン(20)を作動させると、新鮮な空気が、給気ダクト(18)及び給気路(16)内に流入し、図２の矢印で示すように、内パネル(7b)の下端部の２個の吹出口(21)より、ブース(１)内の底部に向かって吹出され、左側面板(６)の内面に沿って上方に流れる。そして、天井板(３)の下面に達した空気は、右側方に向かって流れ、一部の空気は気流偏向板(13)により、ブース(１)内の中央部に向かって下向きに偏向されるとともに、一部の空気は、天井板(３)と気流偏向板(13)との間の隙間(Ｓ)を通って右側方に向かって流れる。
【００４０】
一方、排気ファン(29)の同時作動により、排気路(17)内が減圧されているため、各排気パネル(24)の多数の吸込孔(23)には、ブース内の空気を吸い込む吸引力が作用している。
【００４１】
そのため、ブース(１)内の底部に流入した空気の一部、気流偏向板(13)により下向きに偏向された空気、及び隙間(Ｓ)を通過した空気は、図２の矢印に示すように、上下の排気パネル(24)に向かって流れ、それらの吸込孔(23)により吸引されて排気路(17)に流入したのち、上方に向かい、連通管(27)及び排気管(28)を介してブース(１)外に排出される。
【００４２】
このような空気の流れに乗って、ブース(１)内の隅々まで充満しているタバコの煙や臭い等が、排気パネル(24)の広い領域で速やかに外部に排出される。
【００４３】
しかも、開口率を大とした下部の２枚の排気パネル(24)は、喫煙者の頭部付近の高さとしてあるため、喫煙時のタバコの煙は、室内に充満する前に即座に吸引されて排出される。
【００４４】
また、棚板(31)に載置された灰皿に置いたタバコの副流煙も、その上部の開口率の大きな排気パネル(24)より速やかに吸引されて排出される。
【００４５】
図５は、本発明の第２の実施形態を示すもので、この実施形態では、排気路(17)の下方に形成された給気路(16)を、その中間部において仕切板(33)により上下に仕切り、上部側を空気導入室(34)に、下部側を整風室(35)にするとともに、空気導入室(34)内における仕切板(33)の上面に、上記第１の実施形態と同様、前後２基のクロスフローファン等よりなる給気ファン(20)を載設してある。
【００４６】
空気導入室(34)は、上記と同様の給気ダクト(18)に、連通孔(36)を介して連通されている。
【００４７】
給気ファン(20)を作動させると、給気ダクト(18)を介して空気導入室(34)に流入した新鮮な空気は、給気ファン(20)の送風口(20a)と対向する仕切板(33)に穿設された連通孔(37)を通して、整風室(35)に送風され、吹出口(21)よりブース(１)内に供給される。
【００４８】
この第２の実施形態のように、整風室(35)を設けると、給気ファン(20)より送風される空気が、整風室(35)内において一定の圧力に蓄圧され、前後の吹出口(21)より一定圧で吹出されるため、ブース室内は均一に、かつ効率よく換気されるようになる。
【００４９】
本発明は、上記実施形態に限定されるものではない。
上記実施形態では、ブース(１)内の中央部に滞留するタバコの煙等を効果的に排出するために、気流偏向板(13)を設けているが、ブース(１)が比較的小型の際には、気流偏向板(13)を省略することもある。
【００５０】
また、上記実施形態では、気流偏向板(13)と天井板(３)との間に隙間(Ｓ)を設けているが、この隙間の代わりに、気流偏向板(13)に複数の通気孔を設けたり、ブース(１)の大きさ等によっては、隙間(Ｓ)をなくしたりしてもよい。
【００５１】
さらに、上記実施形態では、ブース(１)の右側面板(７)の内面のみより、タバコの煙等を排出するようにしているが、ブース(１)を大型とした際などには、上記と同様の換気手段を、２側面以上に複数設けてもよい。
【００５２】
排気ユニット(30)を作動させると、ブース(１)内が負圧となり、下部の吹出口(21)より空気が自然に流入するので、比較的小型のブース(１)とした際などには、給気ファン(20)を省略することもある。
【００５３】
給気ダクト(18)を省略し、外パネル(7a)に接続した空気の導入経路等より、空気が、給気路(16)又は空気導入室(34)内に直接流入するようにしてもよい。このようにすると、給気ダクト(18)を省略した分、内パネル(7b)の内側面に、大きな排気パネル(24)を取付けることができるので、排気効率を高めることができる。
【００５４】
上記実施形態では、排気パネル(24)が汚れたときの清掃又は交換を容易とするために、排気パネル(24)を、内パネル(7b)に着脱可能に装着しているが、このような排気パネル(24)を省略して、内パネル(7b)に、吸込孔(23)を直接穿設してもよい。この際、吸込孔(23)の径や個数を、下方に向かうほど漸次大とするようにするのがよい。
本発明は、上記喫煙ブース以外に、例えば臭気が発生する実験室等、換気が必要な種々のブースにも適用することができる。
【図面の簡単な説明】
【００５５】
【図１】本発明を適用した喫煙ブースの第１の実施形態の斜視図である。
【図２】同じく、中央縦断正面図である。
【図３】同じく、図２のIII−III線横断平面図である。
【図４】同じく、図２のIＶ−IＶ線縦断側面図である。
【図５】同じく、本発明の第２の実施形態における中央縦断正面図である。
【符号の説明】
【００５６】
(１)喫煙ブース
(２)床板
(３)天井板
(４)前面板
(５)後面板
(６)左側面板
(７)右側面板
(7a)外パネル
(7b)内パネル
(８)出入口
(９)取っ手
(10)開閉扉
(11)ガラス
(12)ガラスパネル
(13)気流偏向板
(13a)ブラケット
(14)通風路
(15)仕切板
(16)給気路
(17)排気路
(18)給気ダクト
(19)連通孔
(20)給気ファン
(20a)送風口
(21)吹出口
(22)排風口
(23)吸込孔
(24)排気パネル
(25)ねじ
(26)排気孔
(27)連通管
(28)排気管
(29)排気ファン
(30)排気ユニット
(31)棚板
(32)ブラケット
(33)仕切板
(34)空気導入室
(35)整風室
(36)(37)連通孔
(Ｓ)隙間
【図１】
2006349246.tif 000003
【図２】
2006349246.tif 000004
【図３】
2006349246.tif 000005
【図４】
2006349246.tif 000006
【図５】
2006349246.tif 000007